(57)【要約】【課題】家具としてのインテリア性を損なうことがなく、設置が容易で地震等の揺れに対する安定性も確保でき、増設も容易で移動も壁面等の外観を損なうことなく任意にできる薄型キャビネットを提供する。【解決手段】薄型キャビネット１はその背面を壁面Ｗ１に沿わせて例えば部屋の右隅に固定部材を介することなく設置される。薄型キャビネット１は、天板４、左側板５、これに対向する右側板、扉８等を備えたキャビネット本体２と、キャビネット本体２の右側における底面側に取り付けられ、キャビネット本体２の前面側に突出する転倒防止用部材３を有している。薄型キャビネット１の後方への倒れは壁面Ｗ１で防止され、前方（矢印Ｍ方向）への倒れは転倒防止用部材３により防止される。【選択図】  図１
0003105987.tif 000002
【実用新案登録請求の範囲】
【請求項１】
奥行寸法の小さいキャビネット本体と、前記キャビネット本体の左右両側のいずれか一方における底面側に取り付けられ前記キャビネット本体の前面側に突出する支持部を有する転倒防止用部材を有し、前記転倒防止用部材は前記キャビネット本体の左右両側のいずれにも取り付けできる左右兼用形状を有していることを特徴とする薄型キャビネット。
【請求項２】
請求項１記載の薄型キャビネットにおいて、前記転倒防止用部材が、前記キャビネット本体の底面と側面に沿う断面Ｌ字形を有しているとともに前記キャビネット本体の底面と背面にも沿うＬ字状の全体形状を有し、前記キャビネット本体の左右両側のいずれか一方及び背面にネジ部材で固定されることを特徴とする薄型キャビネット。
【請求項３】
請求項１又は２記載の薄型キャビネットにおいて、前記キャビネット本体が、左右両側の少なくとも一方に別のキャビネットを増設できる連結部を有していることを特徴とする薄型キャビネット。
【請求項４】
請求項３記載の薄型キャビネットにおいて、前記連結部が前記キャビネット本体の上下に形成された連結用穴を有し、前記連結用穴を介してボルトとナットで連結されることを特徴とする薄型キャビネット。
【請求項５】
請求項１乃至４のうちのいずれかに記載の薄型キャビネットにおいて、前記転倒防止用部材の支持部に取り付けられる安全カバーを有していることを特徴とする薄型キャビネット。
【請求項６】
請求項１乃至５のうちのいずれかに記載の薄型キャビネットにおいて、前記キャビネット本体の左右両側の内面に、前記可動棚を位置固定するためのダボ穴が奥行方向に間隔をおいて２つ、且つ、上下方向に複数段形成され、１つの可動棚を載置面としてその可動棚の上に、前記ダボ穴のうち奥側のダボ穴にそれぞれ端部を係止されて前記キャビネット本体の奥行方向に回動自在に設けられたコ字状のブックエンドを有していることを特徴とする薄型キャビネット。
【請求項７】
請求項１乃至５のうちのいずれかに記載の薄型キャビネットにおいて、前記キャビネット本体の左右両側の対向する位置にそれぞれ穴が形成され、これらの穴にそれぞれ端部を係止されて前記キャビネット本体の奥行方向に回動自在に設けられたコ字状のブックエンドを有していることを特徴とする薄型キャビネット。
【考案の詳細な説明】
【技術分野】
【０００１】
本考案は薄型キャビネットに係り、特に背面を壁面に沿わせて設置される奥行寸法が小さい薄型キャビネットに関する。
【背景技術】
【０００２】
床面に対する設置面積の広い家具は、地震等の揺れに対する安定性が大きいが、奥行寸法等が大きいが故に使用場所や配置レイアウト上の制限を受けやすい。
近年、廊下や部屋の空きスペース等を有効に活用すべく、本来のスペースをあまり制限しない状態（例えば壁面からあまり突出しない状態）で小物収納に適した薄型キャビネット（薄型家具）を設置したいとする要望が多い。
しかしながら、奥行寸法の小さい薄型キャビネットは、床面等に対する設置面積が狭いため、地震等の揺れに対する安定性が悪く、例えば特許文献１に開示されるように、倒れないように壁面や天井等にブラケットや支柱などにより固定して設置するのが一般的となっている。
【０００３】
【特許文献１】特開平９−２９４６４０号公報
【考案の開示】
【考案が解決しようとする課題】
【０００４】
壁面や天井等にブラケットや支柱などにより固定する従来の方式では、スペースの有効活用は図れるものの、一つの独立した家具としての観点からみた場合、固定構成により外観の見劣りが生じてインテリア性が損なわれるという問題があった。
また、部屋の模様替え等において位置を移動したい場合、固定用部材を取り外したり再度組み付けたりする必要があり面倒である。また、壁面に穴を開けてボルトで固定している場合等には、取り外した後の壁面の外観が損なわれるため移動できないという問題があった。
さらに、同じキャビネットを連ねて増やしたい場合には、同様の固定構造を別途設けざるを得ず、外観のさらなる見劣りを避けられなかった。
【０００５】
本考案は上記従来の問題点に着目してなされたものであり、家具としてのインテリア性を損なうことがなく、設置が容易で地震等の揺れに対する安定性も確保でき、増設も容易で移動も壁面等の外観を損なうことなく任意にできる薄型キャビネットを提供することを目的とする。
【課題を解決するための手段】
【０００６】
請求項１記載の考案は、奥行寸法の小さいキャビネット本体と、前記キャビネット本体の左右両側のいずれか一方における底面側に取り付けられ前記キャビネット本体の前面側に突出する支持部を有する転倒防止用部材を有し、前記転倒防止用部材は前記キャビネット本体の左右両側のいずれにも取り付けできる左右兼用形状を有していることを特徴とする薄型キャビネットである。
【０００７】
請求項２記載の考案は、請求項１記載の薄型キャビネットにおいて、前記転倒防止用部材が、前記キャビネット本体の底面と側面に沿う断面Ｌ字形を有しているとともに前記キャビネット本体の背面にも沿うＬ字状の全体形状を有し、前記キャビネット本体の左右両側のいずれか一方及び背面にネジ部材で固定されることを特徴とする薄型キャビネットである。
【０００８】
請求項３記載の考案は、請求項１又は２記載の薄型キャビネットにおいて、前記キャビネット本体が、左右両側の少なくとも一方に別のキャビネットを増設できる連結部を有していることを特徴とする薄型キャビネットである。
【０００９】
請求項４記載の考案は、請求項３記載の薄型キャビネットにおいて、前記連結部が前記キャビネット本体の上下に形成された連結用穴を有し、前記連結用穴を介してボルトとナットで連結されることを特徴とする薄型キャビネットである。
【００１０】
請求項５記載の考案は、請求項１乃至４のうちのいずれかに記載の薄型キャビネットにおいて、前記転倒防止用部材の支持部に取り付けられる安全カバーを有していることを特徴とする薄型キャビネットである。
【００１１】
請求項６記載の考案は、請求項５記載の薄型キャビネットにおいて、前記キャビネット本体の左右両側の内面に、前記可動棚を位置固定するためのダボ穴が奥行方向に間隔をおいて２つ、且つ、上下方向に複数段形成され、１つの可動棚を載置面としてその可動棚の上に、前記ダボ穴のうち奥側のダボ穴にそれぞれ端部を係止されて前記キャビネット本体の奥行方向に回動自在に設けられたコ字状のブックエンドを有していることを特徴とする薄型キャビネットである。
【００１２】
請求項７記載の考案は、請求項１乃至５のうちのいずれかに記載の薄型キャビネットにおいて、前記キャビネット本体の左右両側の対向する位置にそれぞれ穴が形成され、これらの穴にそれぞれ端部を係止されて前記キャビネット本体の奥行方向に回動自在に設けられたコ字状のブックエンドを有していることを特徴とする薄型キャビネットである。
【考案の効果】
【００１３】
本考案によれば、壁面等に対する固定構成を有しないので、家具としてのインテリア性を損なうことがなく、設置、移動が容易で地震等の揺れに対する安定性も確保できる。特に、壁面等の外観を損なうことなく移動を任意にできる。
また、転倒防止用部材を左右兼用形状としているので、右隅又は左隅への設置を単一の部材で容易に行うことができ、常に転倒防止用部材がキャビネット本体と一体に使用されるので、使用しない部品管理を要する手間もない。
また、転倒防止用部材が床面に突出することに対する安全性を安全カバーにより容易に高めることができる。
さらに、ブックエンドを設けることにより、キャビネット本体内部に容易にマガジンラック様の収納部を形成でき、使用性の向上、使用目的の多様化に寄与できる。
【考案を実施するための最良の形態】
【００１４】
以下、本考案の第１の実施の形態を図１乃至図４に基づいて説明する。
図１は、本実施形態に係る薄型キャビネット１を部屋の右隅に設置した状態を示している。図１において符号Ｗ１、Ｗ２は壁面を、Ｗ１ａは巾木を、Ｆは床面をそれぞれ示している。
薄型キャビネット１は、キャビネット本体２と、このキャビネット本体２の前方（矢印Ｍ方向）への倒れを防止する転倒防止用部材３を有している。キャビネット本体２は、壁面Ｗ１に背面を沿わせ、且つ、右側面を壁面Ｗ２に沿わせた状態で設置されており、転倒防止用部材３は、キャビネット本体２の右側面の底面側に設けられている。
【００１５】
図２に示すように、キャビネット本体２は、前端に丸みを有する天板４と、左側板５と、右側板６と、背面板７と、扉８等を有している。扉８は、扉本体８ａと、Ｕ字状の溝形状を有する引手部８ｂを有しており、上下２箇所において右側板６に対してワンタッチ式のスライド丁番９、１０で開閉自在に、且つ、着脱自在に設けられている。
扉８の引手部８ｂと天板４は、家具としての格調性を高めるべくウレタン塗装仕上げのラバーウッドの集成材で形成されており、その他はプリント化粧板で形成されている。尚、キャビネット本体２はチェリー色となっている。
【００１６】
キャビネット本体２の内部には、上下方向に間隔をおいて複数の可動棚１１が設けられている。各可動棚１１は、左側板５と右側板６の対向する位置に、奥行方向に間隔をおいて２つ、且つ、上下方向に複数段形成された図示しないダボ穴に図示しない金属製のダボを嵌めてその上に載置する従来周知の４点支持構成を有し、ダボの位置を変えることにより上下方向の位置を任意に変えられるようになっている。
可動棚１１の奥行寸法（キャビネット本体２の内部奥行寸法）ｄは、例えばＣＤケース１２を収納できる約１５．５ｃｍとなっており、部屋に設置しても本来のスペースをあまり損なわない薄型に設定されている。ここで言う薄型とは奥行寸法が１０ｃｍ〜１８ｃｍの範囲のものをいう。
左側板５と右側板６の上下における対向位置には、それぞれ奥行方向に間隔をおいて２つの貫通する連結用穴５ａ、６ａが形成されている。
図２においては、転倒防止用部材３は省略している。
【００１７】
図３に示すように、アシスト金具としての転倒防止用部材３は、断面Ｌ字形のアングル材で形成されており、右隅設置対応部３Ａと、左隅設置対応部３ＢからなるＬ字状の全体形状を有している。即ち、左右兼用形状を有している。
右隅設置対応部３Ａには、転倒防止用部材３を固定するための２つのボルト挿通穴３Ａａが形成されており、これに対応して右側板６の底面側には２つのネジ穴６ｂが設けられている。同様に左隅設置対応部３Ｂには２つのボルト挿通穴３Ｂａが形成されており、これに対応して背面板７の底面側には２つのネジ穴７ａが設けられている。
かかる構成において、転倒防止用部材３はネジ部材としての４本のボルト１３でキャビネット本体２に固定される。キャビネット本体２の左側においても同様の固定構成となっている。左隅設置の場合には左隅設置対応部３Ｂは左側板５に設けられたネジ穴５ｂにより固定される（図１、２参照）。
【００１８】
薄型キャビネット１が右隅に設置される場合には、左隅設置対応部３Ｂは単に背面板７に沿う固定片として機能する。逆に、薄型キャビネット１が左隅に設置される場合には、右隅設置対応部３Ａは単に背面板７に沿う固定片として機能する。図示しないが、転倒防止用部材３の厚み分キャビネット本体２から突出しないように（キャビネット本体２と面一となるように）、キャビネット本体２の転倒防止用部材３が沿う部分（右側板６、左側板５の底面側側面及び底面）は薄肉化されている。転倒防止用部材３は元々薄肉で突出量は少ないので、この薄肉化は必ずしも必要ではない。
【００１９】
右隅設置対応部３Ａの先端部３Ａｂは、キャビネット本体２の前面側に突出する支持部であり、この支持部３Ａｂによってキャビネット本体２の前方への倒れが防止される。薄型キャビネット１の後方への倒れは壁面Ｗ１によって防止される。本実施形態では、転倒防止用部材３を断面Ｌ字形としているので、帯板状ないし平板状とした場合に比べて転倒防止のための支持部材として高い剛性を得ることができる。
部屋の右隅に設置された場合、図１で示したように、転倒防止用部材３は壁面Ｗ２に沿うため、人が足で踏むような可能性は極めて低いが、怪我をしないように支持部３Ａｂの垂直片部先端は丸く滑らかに形成されている。
廊下や部屋の隅以外の部位に設置された場合には、転倒防止用部材３は薄肉の垂直片部（エッジ部）が存在するので、このような設置方式の場合には安全カバー１４が支持部３Ａｂの内側にセットされて固定される。
【００２０】
支持部３Ａｂの先端部にもボルト挿通穴３Ａａが形成されており、これに対応して安全カバー１４の先端部にはネジ穴１４ａが形成されている。安全カバー１４はボルト１３と同様のボルト１５で固定される。薄型キャビネット１が部屋の隅に設置される場合にも安全カバー１４は取り付けてもよい。
薄型キャビネット１が左隅に設置される場合には、左隅設置対応部３Ｂの先端部の支持部３Ｂｂにより前方への転倒が防止され、必要に応じて、ボルト挿通穴３Ｂａを介してボルト１５で安全カバー１４が取り付けられる。
【００２１】
安全カバー１４は、安全性を高めるとともにキャビネット本体２のインテリア性を損なわないように、木質系の材料で形成されており、先端部は支持部３Ａｂと同様に丸く滑らかに形成されている。図４に示すように、安全カバー１４は、木質系による安全性を優先すべく支持部３Ａｂから若干突出する寸法に設定されている。
転倒防止用部材３もキャビネット本体２のインテリア性をなるべく損なわないように、木質系に近いブラウン色に塗装ないしメッキされている。
本実施形態では、転倒防止用部材３を左右兼用の形状としたが、左右別々に用意し、設置方式に応じて使い分けるようにしてもよい。
【００２２】
図５乃至図８に基づいて第２の実施の形態を説明する。なお、第１の実施の形態と同一部分は同一符号で示し、特に必要がない限り既にした構成上及び機能上の説明は省略して要部のみ説明する（以下の他の実施の形態において同じ）。
図５に示すように、本実施形態に係る薄型キャビネット２２は、薄型キャビネット１に別の薄型キャビネットとしてのオプションキャビネット１６を増設した構成を示している。
【００２３】
オプションキャビネット１６は転倒防止用部材３を取り付ける構成は有しておらず、単に増設用として用いられるタイプのものである。
薄型キャビネット１とオプションキャビネット１６を連結する場合には、図６に示すように、双方の扉８を外した状態で連結する。扉８はワンタッチ式のスライド丁番９、１０をキャビネット本体２側の取付金具から取り外すことで容易に取り外すことができる。
オプションキャビネット１６のキャビネット本体２にも薄型キャビネット１の場合と同様に連結用穴５ａ、６ａが上下に形成されており、この連結用穴５ａ、６ａを介して連結用ボルト１７と連結用ナット１８で連結・固定される。
連結用穴５ａ、６ａのうち、使用されないものは外観の見劣りを低減するために、キャビネット本体２の外側からキャップ部材１９を嵌め込んで塞がれる。
【００２４】
図７に示すように、連結用ナット１８は、連結用穴５ａに挿入される袋状の雌ネジ部１８ａと、左側板５の内面に当接するフランジ部１８ｂを有している。連結用ボルト１７は、連結用穴６ａに挿通されて雌ネジ部１８ａに螺合するネジ軸１７ａと、右側板６の内面に当接する頭部１７ｂを有している。図示しないがフランジ部１８ｂと頭部１７ｂにはドライバー等で回すための溝が形成されている。
図７はネジ込む前の状態を示しており、連結用ボルト１７を回してネジ込むことにより薄型キャビネット１とオプションキャビネット１６はガタのない状態に連結・固定される。
【００２５】
いわゆる目隠し部材としてのキャップ部材１９は、プラスチックで形成されており、図８に示すように、例えば連結用穴５ａに弾性変形により押し込み挿入される挿入部１９ａと円形の頭部１９ｂから構成されている。キャップ部材１９も転倒防止用部材３と同様に、キャビネット本体２のインテリア性をなるべく損なわないように、木質系に近い色（例えばブラウン）に着色されている。
【００２６】
オプションキャビネット１６を増設した場合、薄型キャビネット１とオプションキャビネット１６を含めた全体構成に対して転倒防止用部材３は機能する。
本実施形態では、部屋の右隅設置方式で増設した構成を示したが、転倒防止用部材３を薄型キャビネット１の左側に取り付けて左隅設置とし、オプションキャビネット１６を薄型キャビネット１の右側に増設する場合でも同様である。
オプションキャビネット１６は転倒防止用部材３を取り付ける構成を有しないものとしたが、薄型キャビネット１と全く同様の構成のものを増設してもよく、扉８を有しないタイプのオプションキャビネット１６を増設するようにしてもよい。
【００２７】
図９に基づいて第３の実施の形態を説明する。
本実施形態では、薄型キャビネット１又はオプションキャビネット１６におけるキャビネット本体２の任意の可動棚１１を取り外し、この可動棚１１を取り付けるためのダボ穴５ｃ、６ｃのうち、奥行側のダボ穴を利用してコ字状のブックエンド２０が取り付けられている。
ブックエンド２０は、例えば金属製の丸棒を折り曲げて形成されており、各先端部は水平方向に折り曲げられて差込部２０ａとなっている。ブックエンド２０は内側に若干変形させた状態で差込部２０ａを奥側のダボ穴５ｃ、６ｃに差し込んでセットされ、セット後は左側板５と右側板６間において左右の差込部２０ａを支点として奥行方向に回動自在に支持される。ブックエンド２０は可動棚１１と同等の区画領域を有している。
【００２８】
このようにブックエンド２０を設けた場合、キャビネット本体２の内部に下方の可動棚１１を載置面とするマガジンラック様の収納領域を形成することができる。
可動棚１１の奥行寸法よりも大きい幅を有する書籍２１等でも、横置きにすることによりキャビネット本体２内に余裕をもって複数冊又は複数枚を収納することができ、ブックエンド２０の自重による回動により、書籍２１等の全体の奥行寸法の変化に応じて良好な支持機能が得られる。
本実施形態ではブックエンド２０の回動支持穴として可動棚１１を支持するためのダボ穴５ｃ、６ｃを利用する構成としたが、ブックエンド２０専用の支持穴を別途形成するようにしてもよい。
【図面の簡単な説明】
【００２９】
【図１】本考案の第１の実施の形態に係る薄型キャビネットの斜視図である。
【図２】薄型キャビネットの扉を開いた状態の斜視図である。
【図３】転倒防止用部材の取り付け構造を示す要部斜視図である。
【図４】転倒防止用部材に安全カバーを取り付けた状態の要部側面図である。
【図５】本考案の第２の実施の形態に係る薄型キャビネットの斜視図である。
【図６】キャビネット間の連結構造を示す斜視図である。
【図７】連結部の拡大断面図である。
【図８】キャップ部材の取り付け状態を示す拡大断面図である。
【図９】本考案の第３の実施の形態に係る薄型キャビネットの要部斜視図である。
【符号の説明】
【００３０】
１、２２  薄型キャビネット          ２  キャビネット本体
３  転倒防止用部材          ３Ａｂ  支持部
５ａ、６ａ  連結用穴          ５ｃ、６ｃ  ダボ穴
１１  可動棚          １３  ネジ部材としてのボルト
１４  安全カバー          １７  ボルトとしての連結用ボルト
１８  ナットとしての連結用ナット          １９    キャップ部材
２０    ブックエンド
【図１】
0003105987.tif 000003
【図２】
0003105987.tif 000004
【図３】
0003105987.tif 000005
【図４】
0003105987.tif 000006
【図５】
0003105987.tif 000007
【図６】
0003105987.tif 000008
【図７】
0003105987.tif 000009
【図８】
0003105987.tif 000010
【図９】
0003105987.tif 000011